(57)【特許請求の範囲】
【請求項１】
携帯電話機の表示画面の上側に横向きに設けられ、前記表示画面の短辺と同程度の長さの受話器部が、外耳道の径より大きな径で外耳道入口に密着して受話器部が外耳道の奥まで入るのを防止するための密着部と、該密着部に接続し、前記表示画面と顔とが触れないようにする長さの円筒部と、該円筒部に接続するヒンジ部と、を有するものであって、
前記受話器部と携帯電話機本体とは、前記ヒンジ部を介して回動可能に繋がれており、 前記円筒部が、
前記ヒンジ部に接続する第１の円筒部と、
一端は第１の円筒部に挿入され、もう一端は前記密着部に接続する第２の円筒部と、
前記第１の円筒部の内部に設けられ、第２の円筒部を付勢する圧縮バネと、
を有し、該圧縮バネによって前記密着部の押圧力が外耳道入口の輪郭に集中するのを避けるようにしたことを特徴とする携帯電話機。
【発明の詳細な説明】
【技術分野】
【０００１】
本発明は、騒音の中での聞き取り難さを解消するために、先端部分を外耳道入口に密着させて使用する受話器部を備えた携帯電話機に関する。
【背景技術】
【０００２】
近年の携帯電話機の進歩は急速で、元来の機能である通話機能に加え、メール、カメラ、インターネット、テレビ、ＧＰＳなど、実に多彩な機能が搭載されている。一方、このように多くの機能を搭載しながらも、携帯電話機の小型化や軽量化は、より一層進んでいる。
【０００３】
図５は、従来の携帯電話機２０を示した図である。家庭用の電話機と比較すると、受話器２１や送話器２４が非常に小型で、外部から見ると表示画面２２の上側と、操作ボタン部２３の下側にそれぞれ小さな穴があいているだけに見える。受話器２１についてみると、このような小さな穴であっても、技術開発によって音質はかなり向上していると言える。しかし、このような受話器形状の場合、屋外のような騒音の中で使用するときは、受話器にぴったりと耳を押し付けなければ、隙間から騒音が耳に入ってくるため、聞き取り難く、また、音量を大きくすれば周囲に音声が漏れるといった不都合がある。これが家庭用電話機のように大きな受話器であれば、耳の大部分を覆って塞ぐことができるため、外部から入る騒音を減らしつつ、音声を外に漏れ難くすることが可能であるが、そうすると携帯電話機の大型化につながり、好ましくない。よって、小型化された携帯電話機では、どうしても外耳道入口と受話器２１との間に隙間が生じるので、騒音による聞き取り難さや音漏れの問題を有することになる。
【０００４】
このような問題に対し、騒音の中でも聞き取り易いスピーカーとして、骨伝導スピーカーを用いた受話器が知られるようになっている（例えば、特許文献１参照）。しかし、骨伝導スピーカーは、難聴者が音を聞くには有効な手段であるが、健聴者が使用するには音質や明瞭度が劣るなどの問題を有している。
【０００５】
また、大部分の携帯電話機には表示画面２２が装備されていて、その表示画面の上側に受話器２１が設けられている。そうすると屋外などの騒音の中で使用するときに耳を受話器２１に密着させると、表示画面２２に顔が触れて、汗や化粧などで表示画面２２を汚してしまうという問題が生じる。このような問題に対しては、例えば特許文献２（特開２００３−６９６８０）において、携帯電話機に突出部を設けて顔と表示画面との間に所定の距離を確保する対策が考えられている。しかし、突出量を大きくすると携帯電話機そのものが大きくなってしまうため、あまり突出量を大きくすることはできない。つまり、表示画面に顔が接触する問題を完全に解消することは難しい。また、携帯電話機と顔との間に距離を空けると、受話器と耳の間の距離を空けることにもなるので、表示画面は汚れないとしても、会話が困難になると考えられる。なお、特許文献２においては、受話器部そのものが突出部になっているものもあるが、受話器部分の範囲は狭く、耳の大部分を塞ぐ構造ではない。したがって、騒音の中での聞き取り難さや音漏れを解消することは難しいと考えられる。
【特許文献１】特開２００４−１８７０３１
【特許文献２】特開２００３−６９６８０
【発明の開示】
【発明が解決しようとする課題】
【０００６】
本発明は、斯かる実情に鑑み、先端を外耳道入口に密着させることで、騒音が外耳道の中に入ることを防ぐことができる受話器部を備えた携帯電話機を提供することを目的としている。
【課題を解決するための手段】
【０００７】
上記の目的を達成させるために、本発明に係る携帯電話機は、携帯電話機の表示画面の上側に横向きに設けられ、前記表示画面の短辺と同程度の長さの受話器部が、外耳道の径より大きな径で外耳道入口に密着して受話器部が外耳道の奥まで入るのを防止するための密着部と、該密着部に接続し、前記表示画面と顔とが触れないようにする長さの円筒部と、該円筒部に接続するヒンジ部と、を有するものであって、前記受話器部と携帯電話機本体とは、前記ヒンジ部を介して回動可能に繋がれており、前記円筒部が、前記ヒンジ部に接続する第１の円筒部と、一端は第１の円筒部に挿入され、もう一端は前記密着部に接続する第２の円筒部と、前記第１の円筒部の内部に設けられ、第２の円筒部を付勢する圧縮バネと、を有し、該圧縮バネによって前記密着部の押圧力が外耳道入口の輪郭に集中するのを避けるようにしたことを特徴としている。
【０００８】
ここで、所定の操作ボタンの押下に応じて、受話器部が立ち上がって外耳道入口に密着できる状態になったり、受話器部が倒れて元の位置に収納されたりするアクチュエータを有する構成にしても良い。
【０００９】
また、受話器部先端の密着部は、外耳道の径より大きな径の球形又は二次曲線を回転させた形状としても良い。
【発明の効果】
【００１０】
本発明の携帯電話機によれば、受話器部の先端が外耳道入口に密着できる構成なので、外耳道入口を塞いで、騒音が外耳道に入らないようにしたり、受話器からの音声が外に漏れたりしないといった優れた効果を奏する。さらに受話器部を携帯電話機から突出させて使用することにより、携帯電話機と顔との間に一定の距離を保つことができるので、表示画面を汗などで汚すこともない。なお、受話器部の動きを操作ボタン等によって制御すれば、簡単に使用する状態にしたり、収納したりすることができる。
【００１１】
また、受話器部の先端形状を球形状にしたり、バネを使って付勢したりすることによって、受話器部先端が外耳道入口に接触するときの違和感を和らげる効果を奏する。
【発明を実施するための最良の形態】
【００１２】
以下、本発明の実施の形態を添付図面を参照して説明する。
図１は本発明に係る携帯電話機１の全体図と、そのＡ−Ａ断面図である。なお、全体図は受話器部１０を格納した状態であり、断面図は受話器部１０を回動して立ち上げた状態を示している。受話器部１０は表示画面１２の上側に横向きに設けられ、表示画面１２の短辺と同程度の長さである。受話器部１０と携帯電話機本体とは、受話器１０のヒンジ部１０ｄを介して回動可能に繋がれている。図１では、受話器部１０を収納する格納部１１を有しているが、格納部１１は必須ではなく、格納部１１を設けない場合は携帯電話機本体の上端面に受話器部１０を設ける構造にすれば良い。
【００１３】
受話器部１０は指で直接回動させても良いが、ソレノイド等のアクチュエータを利用して、操作ボタン部１３の所定のボタンを押下することによって制御するようにしても良い。例えば、通話ボタンを押下すれば受話器部１０が立ち上がり、通話終了のボタンを押下すれば受話器部１０が元の位置に収納されるようにすると操作が簡単である。もしくは、受話器部１０の制御専用ボタンを別途設けて、そのボタンを押下する度に受話器部１０が立ち上がったり、元の位置に収納されたりするようにもできる。また、携帯電話機には、二つ折りタイプやスライドさせると操作ボタン部１３が出現するタイプなどがある。これらの携帯電話機については、それぞれの特徴を生かして、例えば二つ折りタイプでは、開いたときに自動的に受話器部１０が立ち上がるようにしても良い。ただし、メールだけの使用の場合など、受話器部を使用しないこともあるので、操作ボタンによる制御と併用できるようにしておくと良い。また、携帯電話機の初期設定によって、開いたときに自動的に受話器部１０が立ち上がるようにするか否かを使用者が設定できるようにしておくと良い。同様に、スライドさせると操作ボタン部１３が出現するタイプの携帯電話機においては、スライドに合わせて開いたときに受話器部１０が立ち上がり、閉じたときに元の位置に収納される構成にもできる。
【００１４】
図２（ａ）（ｂ）（ｃ）は、それぞれ本発明に用いた受話器部１０の実施例を拡大して上から見た図である。
【００１５】
図２（ａ）に示す受話器部１０は、突起部１０ａと密着部１０ｂと円筒部１０ｃとヒンジ部１０ｄとで構成されている。突起部１０ａは密着部１０ｂに接続し、外径が５φ未満の中空の円筒形状である。突起部１０ａは必須の部分ではないが、突起部１０ａがあることによって、より耳の奥まで確実に音を伝えることができる。
【００１６】
密着部１０ｂは突起部１０ａと円筒部１０ｃとの間に位置し、外径が突起部１０ａの径から円筒部１０ｃの径まで一定に変化する中空の円錐台形をしている。なお、円錐の底面と斜面の間の角度は４５゜以下とするのが望ましい。その方が密着部１０ｂが外耳道入口に密着し易く、それによって、騒音が外耳道の中に入るのを防いだり、受話器からの音漏れを抑制したりできるからである。密着部１０ｂの径は、受話器部１０が外耳道の奥まで入ってしまうことを防ぐため、外耳道の径より大きくする必要がある。したがって、円筒部１０ｃに接続する位置での密着部１０ｂの径は、５φより大きくする必要がある。
【００１７】
円筒部１０ｃは、密着部１０ｂとヒンジ部１０ｄとの間に位置し、音声を受話器部１０の先端まで伝えられるように中空になっている。また、円筒部１０ｃの長さは、使用時に表示画面と顔が触れないようにすることから決めるのが望ましい。ただし、実用上は受話器部１０全体の長さが、表示画面の短辺程度の長さとなるようにして決定される。
【００１８】
ヒンジ部１０ｄは、円筒部１０ｃと接続し、携帯電話機本体に対しては、受話器部１０が回動できるような形状で繋がっている。具体的な形状としては、例えば、図２（ａ）のように上から見ると半円と長方形を接合したような形状で、回転軸を半円の中心にするものである。なお、ヒンジ部１０ｄの形状は、受話器部１０が正しく回動すれば、特にこのような形状に限定されるものではない。また、ヒンジ部１０ｄはスピーカーと一体であり、携帯電話機本体と電気的にも繋がっていて、受信した音声をヒンジ部１０ｄから円筒部１０ｃの内部へ伝えることができるようになっている。
【００１９】
受話器部１０の別の実施例として図２（ｂ）に示すような構成も考えられる。本実施例では、受話器部１０の先端が球形部１０ｅとなっている。球形部１０ｅは、耳に当てたときに外耳道内部に入らないように、径を７〜１２φとするのが望ましい。また、音声が伝わるように内部に中空部分を設け、円筒部１０ｃの中空部分に繋がるようにする必要がある。このような形状であれば図２（ａ）と同じように、球形部１０ｅにより外耳道の入口を塞ぎつつ音声を先端まで伝えることができるので、密着部１０ｂと同様の効果が得られる。さらに、球形にすることにより、耳への密着面積が大きくなり、受話器部１０の押圧力がその面積に分散されるため、違和感を和らげることができるといった利点がある。また、本実施例では、先端が球形であることから、外耳道入口付近に耳栓のようにすっぽりと納めるようにして使用することができるので、密着させ易く、使い易い。なお、球形部１０ｅの形状は、完全な球形状だけでなく、楕円形、双曲線、放物線等の二次曲線を回転させて得られたような形状とすることにより、より密着性を良くすることも可能である。また、図２（ｂ）の実施例の球形部１０ｅは、円筒部１０ｃより径が大きいが、球形部１０ｅの径を円筒部１０ｃと同じ径にしてもよく、その場合の球形部１０ｅは、半球状になる。すなわち、球形部１０ｅは、外耳道入口に当接する部分が球面や楕円球面などの一部からなる曲面であればよい。
【００２０】
図２（ｃ）に、圧縮バネ１０ｆを用いて押入違和感を和らげる受話器部１０の実施例を示す。本実施例では、円筒部がヒンジ部に接続する第１の円筒部１０ｇと、一端は第１の円筒部に挿入され、もう一端は密着部に接続する第２の円筒部１０ｈと、に分けられる。そして、第１の円筒部１０ｇの内部には圧縮バネ１０ｆが設けられていて、第２の円筒部１０ｈが付勢されている。図２（ａ）に示す実施例のときは、密着部１０ｂの押圧力は外耳道入口の輪郭に集中するが、本実施例の受話器部１０では、圧縮バネ１０ｆの作用により、押圧力が外耳道入口の輪郭に集中することを避けることができる。
【００２１】
図３（ａ）は、受話器先端部の形状が円錐台形の携帯電話機の使用状態を表す図であり、図３（ｂ）は、受話器先端部の形状が球形の携帯電話機の使用状態を表す図である。（ａ）においては、受話器部１０をボタン等の操作により立ち上げて通話できる状態にし、突起部１０ａを外耳道１４に挿入し、携帯電話機１を耳に押し付けることで、密着部１０ｂが外耳道１４の入口を塞ぐことになり、周囲の騒音が耳に入ったり、音漏れがしたりすることを防ぐことができる。さらに、受話器部１０の長さによって、通話時に表示画面１２が顔に触れることのない非接触距離Ｄを確保することができ、表示画面１２を汚すこともない。（ｂ）においては、（ａ）と同様の効果を得つつ、先端が球形部１０ｅなので、外耳道入口の凹部１４ａに球形部１０ｅをすっぽりと納めて通話することができる。
【００２２】
図４（ａ）（ｂ）は、本発明に係る二つ折りタイプの携帯電話機を折り畳んだ実施例の断面図である。図４（ａ）は、受話器部１０の格納部がないタイプの断面図で、携帯電話機本体の上端面に受話器部１０を設けている。このときは、受話器部１０が立ち上がった状態でなければ、携帯電話機１を折り畳むことができる。図４（ｂ）は、受話器部１０の格納部１１を有するタイプで、表示画面１２側と操作ボタン部１３側の２箇所の凹部１１ａ、１１ｂによって、格納部１１が形成された実施例である。表示画面側に設けた凹部１１ａだけで受話器部１０が格納できれば、操作ボタン側の凹部１１ｂは必要ないのだが、近年の携帯電話機の薄型化により、凹部１１ａだけでは受話器部１０を完全に収納することができない場合がある。そこで薄型化された携帯電話機でも本発明に係る受話器部１０を具備することができる実施例として、表示画面側の凹部１１ａと操作ボタン部側の凹部１１ｂとが一体となって格納部１１を形成することで、携帯電話機１を折り畳んだときに、受話器部１０が確実に収納されるような構成を示した。
【図面の簡単な説明】
【００２３】
【図１】本発明に係る携帯電話機の全体図と、そのＡ−Ａ断面図である。
【図２】（ａ）（ｂ）（ｃ）は、それぞれ本発明に用いた受話器部の実施例を拡大して上から見た図である。
【図３】（ａ）は受話器先端部の形状が円錐台形の携帯電話機の使用状態を表す図であり、（ｂ）は受話器先端部の形状が球形の携帯電話機の使用状態を表す図である。
【図４】（ａ）は受話器部の格納部がない本発明に係る携帯電話機を折り畳んだ実施例の断面図であり、（ｂ）は受話器部の格納部が表示画面側と操作ボタン部側の両方の凹部によって形成された実施例の断面図である。
【図５】従来の携帯電話機である。
【符号の説明】
【００２４】
１        携帯電話機
１０      受話器部
１０ａ    突起部
１０ｂ    密着部
１０ｃ    円筒部
１０ｄ    ヒンジ部
１０ｅ    球形部
１０ｆ    圧縮バネ
１０ｇ    第１の円筒部
１０ｈ    第２の円筒部
１１      格納部
１２      表示画面
１３      操作ボタン
１４      外耳道
Ｄ        非接触距離
【要約】
【課題】  先端を外耳道入口に密着させることで、騒音が外耳道の中に入ることを防ぐことができる受話器部を備えた携帯電話機を提供する。
【解決手段】  本発明の携帯電話機１は、表示画面１２の上側に横向きに設けられ、表示画面１２の短辺と同程度の長さの受話器部１０が、外耳道の径より大きな径で外耳道入口に密着可能な密着部１０ｂと、密着部に接続する円筒部１０ｃと、円筒部に接続するヒンジ部１０ｄと、を有するものであって、受話器部１０と携帯電話機１とは、ヒンジ部を介して回動可能に繋がれたものとする。
【選択図】図１【図１】
0004287493.tif 000002
【図２】
0004287493.tif 000003
【図３】
0004287493.tif 000004
【図４】
0004287493.tif 000005
【図５】
0004287493.tif 000006